(57)【特許請求の範囲】
【請求項１】
貫通孔を有する複数の装飾部材を、前記貫通孔に挿入された主芯材によって連珠状に連ねた装飾品であって、
前記複数の装飾部材は、前記貫通孔に更に挿入された予備芯材によって連珠状に連ねられ、
前記予備芯材の両端には、前記装飾部材の抜け止め用の係止部が設けられていることを特徴とする装飾品。
【請求項２】
前記係止部を覆うための隠蔽部材を更に備えていることを特徴とする請求項１に記載の装飾品。
【請求項３】
前記隠蔽部材は、前記係止部と前記主芯材とが挿入された貫通孔を有し、前記貫通孔に挿入された主芯材によって、前記装飾部材と共に連ねられていることを特徴とする請求項２に記載の装飾品。
【請求項４】
前記装飾部材の一部が、前記隠蔽部材を兼ねていることを特徴とする請求項２又は請求項３に記載の装飾品。
【請求項５】
前記隠蔽部材が、前記装飾部材を兼ねていることを特徴とする請求項２〜４の何れかに記載の装飾品。
【請求項６】
複数の装飾部材の貫通孔に主芯材を挿入して、連珠状に連ねる主芯材挿入工程と、複数の装飾部材の貫通孔に予備芯材を挿入して、連珠状に連ねる予備芯材挿入工程と、前記予備芯材の両端に前記装飾部材の抜け止め用の係止部を設ける工程と、を有することを特徴とする装飾品の製造方法。
【請求項７】
前記予備芯材挿入工程を行った後に、前記係止部を設ける工程を行い、主芯材挿入工程を行うことを特徴とする請求項６に記載の装飾品の製造方法。
【請求項８】
前記係止部を収容するための貫通孔を有する、隠蔽部材を設ける工程を更に備えることを特徴とする請求項６又は請求項７に記載の装飾品の製造方法。
【請求項９】
前記係止部を収容するための貫通孔を有する、装飾部材を設ける工程を更に備えることを特徴とする請求項６又は請求項７に記載の装飾品の製造方法。
【発明の詳細な説明】
【技術分野】
【０００１】
本発明は、破損時における装飾部材の飛散防止機能を備えた連珠状装飾品、及びその製造方法に関するものである。
【背景技術】
【０００２】
宝石や金属などに穴あけ加工して、それらを数珠つなぎにすることで形成された装飾品が一般的に知られている。たとえば真珠のネックレスや、天然石の連珠状ブレスレットなどが挙げられる。
【０００３】
通常、そういった連珠状装飾品は、合成繊維や金属製のワイヤーを芯材として数珠つなぎに形成され、留め具によって装着可能に成されている。片手での装着が余儀なくされるブレスレットの場合、着脱の容易性を高めるため留め具を用いず、ポリウレタンゴムやシリコンゴム等の伸縮性を備えた芯材を採用している場合もある。
【０００４】
さて、連珠状装飾品の芯材が金属疲労や経年劣化等により断線した場合、使用している複数の装飾部材が飛散し、それら装飾部材を紛失してしまう問題が起こる。装飾部材には、天然石や真珠といった高価なものが用いられる場合も多く、一つの部材を紛失しただけでも大きな損失となる。
【０００５】
そのような問題に対処すべく、特許文献１に記載されているような、高い強度を備えた芯材を製造する技術が公開されている。この技術により、既存の装飾品に用いられる芯材よりも、さらに高い強度を持った芯材の提供が可能となり、装飾品が破損する可能性を抑えることが可能となった。
【先行技術文献】
【特許文献】
【０００６】
【特許文献１】特開２００３−７９４１１号
【発明の概要】
【発明が解決しようとする課題】
【０００７】
しかし、前記の技術は芯材の断線を完全に防ぐものではなく、金属疲労や経年劣化等により、どうしても断線は起こってしまう。また、芯材の強度を高める対策は、装飾品によって首が絞まる、といった事故にも繋がりうる。装飾品は、身体に装着するものである以上、上記のような対策はあまり好ましいものとは言い難い。
【０００８】
そのため、装飾品によって思わぬ事故が起こらないように、芯材の断線は許容しつつも、装飾部材の紛失は防ぐように装飾品を構成することが必要となってくる。
【０００９】
よって本発明は、芯材が断線した際であっても、装飾部材の飛散を防止するような連珠状装飾品、又はその製造方法を提供することを課題とする。
【課題を解決するための手段】
【００１０】
上記課題を解決するために、本発明は、貫通孔を有する複数の装飾部材を、前記貫通孔に挿入された主芯材によって連珠状に連ねた装飾品であって、複数の前記装飾部材は、前記貫通孔に更に挿入された予備芯材によって連珠状に連ねられており、前記予備芯材の両端には、前記装飾部材の抜け止め用の係止部が設けられていることを特徴とする。
このような構成とすることで、主に外力や振動をうける主芯材が断線した場合にも、装飾部材は予備芯材により一つにまとめられているため、飛散、紛失することがなくなる。また、主芯材自体は一般的なものであるため、大きな力が加わった際は断線する。そのため、首が絞まる等の危険性もなくなる。
【００１１】
本発明の好ましい形態では、前記係止部を覆うための隠蔽部材を、更に備えていることを特徴とする。
隠蔽部材を備えていることによって、係止部を隠すことが可能となり、装飾品としてより見栄えの良いものとなる。
【００１２】
本発明の好ましい形態では、前記隠蔽部材は、前記係止部と前記主芯材が挿入された貫通孔を有し、前記貫通孔に挿入された主芯材によって、前記装飾部材と共に連ねられていることを特徴とする。
隠蔽部材が主芯材により、装飾部材とともに連ねられていることで外観をより統一的なものとすることが可能となる。
【００１３】
本発明の好ましい形態では、前記装飾部材の一部が、前記隠蔽部材を兼ねていることを特徴とする。
一つの装飾部材の貫通孔を係止部が入るように加工して、その中に係止部を隠すことによって、予備芯材を有する装飾品でありながら、通常の装飾品と遜色のない外観にすることが可能となる。たとえば、真珠のネックレスのように、すべての装飾部材の外観を同じにしたい場合に有効である。
【００１４】
本発明の好ましい形態では、前記隠蔽部材が、前記装飾部材を兼ねていることを特徴とする。
隠蔽部材が装飾部材を兼ねていることにより、装飾性を兼ね備えた隠蔽部材を構成することが可能となる。
【００１５】
また、本発明は装飾品の製造方法であって、複数の装飾部材の貫通孔に主芯材を挿入して、連珠状に連ねる主芯材挿入工程と、複数の装飾部材の貫通孔に予備芯材を挿入して、連珠状に連ねる予備芯材挿入工程と、前記予備芯材の両端に前記装飾部材の抜け止め用の係止部を設ける工程と、を有することを特徴とする。
【００１６】
本発明の好ましい形態では、前記予備芯材挿入工程を行った後に、前記係止部を設ける工程を行い、主芯材挿入工程を行うことを特徴とする。
各工程をこのような順序で行うことで、効率的に予備芯材を備えた連珠状装飾品の製造を行うことが可能である。
【００１７】
本発明の好ましい形態では、前記係止部を収容するための貫通孔を有する、隠蔽部材を設ける工程を更に備えることを特徴とする。
【００１８】
本発明の好ましい形態では、前記係止部を収容するための貫通孔を有する、装飾部材を設ける工程を更に備えることを特徴とする。
【発明の効果】
【００１９】
本発明を用いることにより、芯材が断線した際であっても、装飾部材の飛散を防止するような連珠状装飾品、及びその製造方法を提供することが可能となる。
【図面の簡単な説明】
【００２０】
【図１】本発明の実施形態１に係る装飾品を示す図である。
【図２】本発明の実施形態１に係る装飾品の隠蔽部材近傍を示す図である。
【図３】本発明の実施形態２に係る装飾品を示す図である。
【図４】本発明の実施形態２に係る装飾品の、装飾隠蔽部材近傍を示す断面図である。
【図５】本発明の実施形態２に係る装飾品の別形態１を示す図である。
【図６】本発明の実施形態２に係る装飾品の別形態１における、装飾隠蔽部材近傍を示す断面図である。
【図７】本発明の実施形態２に係る装飾品の別形態２を示す図である。
【図８】本発明の実施形態２に係る装飾品の別形態２における、隠蔽部材近傍を示す断面図である。
【図９】本発明の実施形態３に係る装飾品を示す図である。
【発明を実施するための形態】
【００２１】
以下、本発明の実施形態について図１ないし図９を参照して説明する。
＜実施形態１＞
本発明の実施形態１について、図１〜図２を用いて説明する。
図１（ａ）は、本発明の実施形態１に係る、飛散防止機能を備えたネックレスを示す図である。この図において、符号１は装飾品全体を、符号２は装飾部材を、符号３は隠蔽部材を、符号４は結合部を示している。
【００２２】
図１（ｂ）は、図１（ａ）において、装飾部材２以外の部分を図示したものである。図１（ｂ）、図２において、符号１１は主芯材、符号１２は予備芯材を、符号１３は係止部を示している。また、符号２１は装飾部材２に設けられた貫通孔を、符号３１は隠蔽部材３に設けられた貫通孔を示している。次いで、これらの詳細を説明する。
【００２３】
装飾品１は、複数の装飾部材２が、その貫通孔２１に通された主芯材１１により連珠状に連結されることで構成されている。
装飾部材２は、それぞれが貫通孔２１を有している。連結された装飾部材２の貫通孔２１には、主芯材１１の他に、予備芯材１２が通されている。予備芯材１２の両端に係止部１３を設けることによって、装飾部材２が予備芯材１２から抜け落ちないように連結されている。予備芯材１２に複数の装飾部材２を挿入し、予備芯材１２の両端に、装飾部材２が抜け落ち無いような係止部１３を設けたものを、装飾部材群とする。
【００２４】
隠蔽部材３は、貫通孔３１を有している。この貫通孔３１は、貫通孔２１よりさらに大きく、係止部１３を収容しながら、さらに主芯材１１を挿入できる程度の大きさを有する。隠蔽部材３を係止部１３に覆い被せるように配置することで、係止部１３が装飾品１の外観に影響を与えないように成されている。隠蔽部材３は必ずしも用いられている必要はない。
【００２５】
結合部４は、雄部と雌部をかみ合わせることで、装飾品１を着脱可能にする部材であり、主芯材１１を挟み込むことで固定されている。この結合部４は必ずしも用いられている必要はなく、主芯材１１の両端を結び合わせる等して結合して、環状の装飾品としてもよい。これはごく一般的に行われている手法である。
【００２６】
本実施形態における装飾品１であるネックレスは、総装飾部材数が多く、重量がある。そのため、主芯材１１には、それを支えるための強度を備えたステンレス製ワイヤーを用いている。予備芯材１２には、主芯材１１が断線して装飾部材群が落下した際に、装飾部材２や予備芯材が破損しないように、柔軟性を備えたポリウレタンゴムを用いている。もちろん他の素材を芯材に用いても構わない。貫通孔２１、貫通孔３１の大きさによっては、主芯材１１、予備芯材１２を複数本挿入してもよい。
【００２７】
本実施形態における装飾部材２は、天然石を多面体に加工したもの、およびペンダントトップである。
本実施形態における隠蔽部材３は、金属製の部材であり、係止部１３は、芯材が通過可能な大きさの孔を有する可塑性を持つ金属で、一般的につぶし玉と呼ばれるものである。その孔に芯材を通した後、ペンチなどで潰すことで、係止部１３を予備芯材１２上に固定することができる。固定された係止部１３の、予備芯材１２と直交する方向の最大径は、抜け落ちを防止するために貫通孔２１より大きい必要がある。
【００２８】
装飾部材２が抜け落ちることを防止できれば、係止部１３はつぶし玉でなく、予備芯材１２を結んだ結び目であっても構わない。結び目を係止部１３として用いる際に、接着材を結び目に滴下し、結び目の強度を上げる方法が一般的に行われている。
【００２９】
次いで、本実施形態における装飾品の製造方法を示す。
【００３０】
まず、予備芯材１２に必要な数の装飾部材２を通す。その際、予備芯材１２の一端には係止部１３を前もって装着しておくと、その一端からの装飾部材２の抜け落ちを気にする必要がなくなり、好ましい。装飾部材２をすべて通し終えたら、予備芯材１２の両端に係止部１３を設け、装飾部材２が抜け落ちないようにする。
【００３１】
係止部１３によって、装飾部材２が抜け落ちないような装飾部材群が構成されたなら、次にそれら装飾部材２の貫通孔２１に主芯材１１を通す。この主芯材１１を挿入する工程と、予備芯材１２を挿入する工程とは、どちらを先に行っても構わないが、本件に例示した手順が効率的である。
【００３２】
この状態では、装飾部材群の両端に係止部１３が露出している。そのため、主芯材１１に隠蔽部材３を通し、係止部１３の上に被せるように配置する。そして一般的な方法で結合部４を装着し、装飾品１が完成する。
【００３３】
本実施形態では、装飾部材の飛散防止機能を備えたネックレス、及びその製造方法を示した。この装飾品を用いることにより、金属疲労などによって突発的に主芯材１１が断線した際も、予備芯材１２によって装飾部材２がまとめられているため、装飾部材２が飛散することがなくなる。
既存の、強固な芯材を挿入する方法では、芯材の断線を完全に防ぐことは出来ない。また、芯材を強固にすることにより、首が絞まるといった危険が生じるため、身に着けるものである装飾品において、そのような手法はあまり好ましい対策とはいえない。その点、本発明は装飾部材の飛散、紛失を防止しながら、人体への危険を防ぐことが可能であり、装飾品に適した機能を備えているといえる。
【００３４】
＜実施形態２＞
図３、図４は、本願発明の実施形態２に係る、飛散防止機能を有するブレスレットを示す図である。図５〜８は、本実施形態の変形例である。なお、これらの図において図１〜２と基本的の同一の構成要素については同一の符号を付してその説明を簡略化する。
本実施形態における装飾品１は、図３に示すブレスレットであって、結合部４を設けず、主芯材１１を結び合わせて環状に形成されている。符号４ａはその結び目である。本実施形態において、係止部１３は、予備芯材１２を結び合わせた結び目によって形成されている。
【００３５】
図３（ａ）に示すように、係止部１３を隠すため、隠蔽部材を兼ねた装飾部材である、装飾隠蔽部材２ａを２つ用いている。装飾隠蔽部材２ａは、外観は他の装飾部材２と変わらないが、装飾隠蔽部材２ａ近傍の断面図である図４に示すように、貫通孔２１の片側を、係止部１３を収容可能に拡張した貫通孔２１ａを有する。
本実施形態の変形例として、図５、図７に示すブレスレットが挙げられる。図５に示すブレスレットには、装飾隠蔽部材２ａの代わりに、装飾隠蔽部材２ｂが１つ用いられている。装飾隠蔽部材２ｂは、外見は他の装飾部材２と変わらないが、図６に示すように、貫通孔２１の両側を、係止部１３を収容可能に拡張した貫通孔２１ｂを有する。図７に示すブレスレットは、図５に記載のブレスレットの装飾隠蔽部材２ｂを、隠蔽部材３で代用したものである。
【００３６】
装飾品１の着脱を容易にするため、主芯材１１には伸縮性を備えたポリウレタンゴムを用いている。予備芯材１２には、強度の高いステンレス製ワイヤーを用いている。これら芯材の材質は他のものでも構わない。貫通孔２１、貫通孔３１の大きさによっては、主芯材１１、予備芯材１２を複数本挿入してもよい。また、結び目４ａによって環状に結合するのではなく、結合部４を設けてもよい。
【００３７】
本実施形態では、装飾部材２、装飾隠蔽部材２ａとして、球状加工された天然石を用いている。さらに、隠蔽部材３を、装飾目的として装飾部材群に組み込んでいる。また、装飾品１を環状に形成するための、主芯材１１の結び目４ａを、貫通孔２１ａに収容することで隠している。結び目４ａは、装飾部材群に組み込んだ隠蔽部材３や、装飾部材２、装飾隠蔽部材２ａの孔内に収容することで、外部から見えないようにするのが一般的である。
【００３８】
次いで、本実施形態における装飾品の製造方法を示す。
【００３９】
まず、予備芯材１２に、必要な数の装飾部材２および隠蔽部材３を、装飾隠蔽部材２ａで挟み込むように通す。その際、貫通孔２１ａの拡張部分を、予備芯材１２の端部方向に向けておく。予備芯材１２の一端には係止部１３を前もって設けておくことで、その一端からの装飾隠蔽部材２ａ等の抜け落ちを気にする必要がなくなり好ましい。装飾隠蔽部材２ａ、装飾部材２、および隠蔽部材３を全て通し終えたら、予備芯材１２の両端に係止部１３を設け、装飾隠蔽部材２ａ、装飾部材２、および隠蔽部材３が抜け落ちないようにする。
【００４０】
係止部１３によって、部材の抜け落ちないような装飾部材群が形成されたなら、次にそれらの貫通孔２１ａ、貫通孔２１、貫通孔３１に主芯材１１を通す。主芯材１１と予備芯材１２はどちらを先に挿入しても構わないが、予備芯材１２を先に挿入し、抜け止めである係止部１３を設置してしまう方が、効率的に製造が可能である。
【００４１】
そして、主芯材１１を結び合わせて環状にして、結び目４ａを貫通孔２１ａ内部に収容するようにずらすことで装飾品１が完成する。結び目４ａは、貫通孔２１や貫通孔３１の内部に隠しても構わない。結び目４ａを隠す部材は、外部から結び目４ａが見えないような、非透明の材質であることが好ましい。同様の理由から、係止部１３を隠す装飾隠蔽部材２ａも非透明であることが好ましい。
【００４２】
本実施形態では、装飾部材の飛散防止機能を備えたブレスレット、及びその製造方法を示した。この装飾品を用いることにより、主芯材１１が断線した際も、予備芯材１２によって装飾部材群がまとめられているため、装飾隠蔽部材２ａ、装飾部材２、および隠蔽部材３が飛散することがなくなる。
既存の、主芯材を強固なものにする方法では、ブレスレットの着脱容易性などが損なわれる恐れがある。着脱を容易にするためにはポリウレタンゴム等の伸縮性を備えた芯材を用いるのが好ましいが、ポリウレタンゴムはそれほど強度があるものではない。そのため、本発明のようにポリウレタンゴムを使用しながら、装飾部材が飛散しないような構成とすることで、ブレスレットの着脱を容易にしながら、装飾部材の飛散、紛失を防ぐことが可能な装飾品を構成することが可能となる。
【００４３】
また、本実施形態のように装飾隠蔽部材２ａを用いることで、主芯材１１が断線した際に、実施形態１では飛散してしまっていた、係止部１３を隠すための部材も装飾部材群中にまとめることが可能となり、部材の紛失をより抑える効果が期待できる。
【００４４】
＜実施形態３＞
図９は、本願発明の実施形態３に係る、飛散防止機能を有するストラップを示す図である。なお、これらの図において図１〜８と基本的の同一の構成要素については同一の符号を付してその説明を簡略化する。
本実施形態における装飾品１は、装着部５を有しており、装着部５の形状を変えることで、ピアスやイヤリングを形成することも可能である。また、主芯材１１の抜け止めとして、留め金５ａを用いている。
【００４５】
本実施形態において、装飾品１の軽量化を図るため、主芯材１１にはナイロン製の芯材を用いている。予備芯材１２にも同様に、ナイロン製の芯材を用いている。これら芯材の材質は他のものでも構わないが、特にピアスやイヤリングを形成する際は、出来るだけ軽量の芯材、部材を使用することが好ましい。貫通孔２１、貫通孔３１の大きさによっては、主芯材１１、予備芯材１２を複数本挿入してもよい。係止部１３は、予備芯材１２を結び合わせた結び目によって形成されている。装飾部材２として、多面体加工の成された天然石を用いている。また、隠蔽部材３として、金属製の部材を用いている。
【００４６】
次いで、本実施形態における装飾品の製造方法を示す。
【００４７】
まず、予備芯材１２に必要な数の装飾部材２を通す。その際、予備芯材１２の一端には係止部１３を前もって設けておいてもよい。装飾部材２をすべて通し終えたら、予備芯材１２の両端に係止部１３を設け、装飾部材２が抜け落ちないようにする。
【００４８】
係止部１３によって、装飾部材２が飛散しないような装飾部材群が構成されたなら、装飾部材群の両端に隠蔽部材３が配置されるように、装飾部材２の貫通孔２１、および隠蔽部材３の貫通孔３１に主芯材１１を通す。主芯材１１の一端には留め金５ａが設置されており、一方の隠蔽部材３が抜け落ちないように成されている。主芯材１１と予備芯材１２のどちらを先に挿入するかはどちらでも構わないが、記載の順番で作業するのが効率的であり、好ましい。
【００４９】
隠蔽部材３を、係止部１３の上に被せるように配置する。残りの主芯材１１を用いて装着部５を設置することで、装飾品１が完成する。
【００５０】
本実施形態では、装飾部材の飛散防止機能を備えたストラップ、及びその製造方法を示した。この装飾品を用いることにより、主芯材１１が断線した際も、予備芯材１２によって装飾部材２がまとめられているため、装飾部材２が飛散することがなくなる。
【産業上の利用可能性】
【００５１】
本発明を用いることで、芯材が断線した際に、装飾部材の飛散を防止する機能を備えた装飾品を形成することが可能となる。特別な部材を用いる必要はなく、一般的な物品と、簡単な加工によって構成されているため、非常に容易に実施が可能である。
【符号の説明】
【００５２】
１  装飾品
１１  主芯材
１２  予備芯材
１３  係止部
２  装飾部材
２ａ  装飾隠蔽部材（一端加工）
２ｂ  装飾隠蔽部材（両端加工）
２１  貫通孔（装飾部材）
２１ａ  貫通孔（一端加工の装飾隠蔽部材）
２１ｂ  貫通孔（両端加工の装飾隠蔽部材）
３  隠蔽部材
３１  貫通孔（隠蔽部材）
４  結合部
４ａ  結び目
５  装着部
５ａ  留め金
【要約】
【課題】主芯材１１が破損した際の、装飾部材２の飛散を防止するような連珠状装飾品１、又はその製造方法を提供することを課題とする。
【解決手段】貫通孔２１を有する複数の装飾部材２を、前記貫通孔２１に挿入された主芯材１１によって連珠状に連ねた装飾品１であって、複数の前記装飾部材２は、前記貫通孔２１に更に挿入された予備芯材１２によって連珠状に連ねられ、前記予備芯材１２の両端には、前記装飾部材２の抜け止め用の係止部１３が設けられていることを特徴とする。
【選択図】図１【図１】
0005403455.tif 000002
【図２】
0005403455.tif 000003
【図３】
0005403455.tif 000004
【図４】
0005403455.tif 000005
【図５】
0005403455.tif 000006
【図６】
0005403455.tif 000007
【図７】
0005403455.tif 000008
【図８】
0005403455.tif 000009
【図９】
0005403455.tif 000010